(57)【要約】【課題】表示している映像の転送元のモバイル装置を正しく制御対象とした制御を行う「情報処理装置及びコンピュータプログラム」を提供する。【解決手段】車載装置１は、表示する映像のモバイル装置２からの転送に用いるHDMIインタフェース１１１以外の通信インタフェースで接続している各モバイル装置２に、当該接続している通信インタフェースを介してHDMI接続状態問い合わせを発行し、HDMI接続状態問い合わせを受信したモバイル装置２は、HDMI(登録商標）で他の装置に接続している場合には接続済を車載装置１に応答する。車載装置１は、接続済を応答したモバイル装置２が一つであれば当該モバイル装置２を、接続済を応答したモバイル装置２が複数あれば、当該複数のモバイル装置２のうちからユーザによって選択されたモバイル装置２を制御対象に設定する。【選択図】図５
2014233019.tif 000002
【特許請求の範囲】
【請求項１】
映像伝送用の通信規格である第１の通信規格で通信を行う第１の通信インタフェースと、当該第１の通信規格と異なる通信規格である第２の通信規格で通信を行う１または複数の第２の通信インタフェースとを備え、前記第１の通信インタフェースで転送される映像を表示すると共に、前記第１の通信インタフェースで転送される映像の転送元の他装置を制御対象装置として、前記第２の通信インタフェースを介して、前記制御対象装置の制御を行う情報処理装置であって、
前記第１の通信インタフェースに他装置が接続しているときに、前記第２の通信インタフェースに接続している他装置の各々に、当該第２の通信インタフェースを介して、当該他装置が備える映像伝送用通信インタフェースの当該他装置と異なる装置との接続の有無を問い合わせ、当該他装置から前記第２の通信インタフェースを介して前記問い合わせに対する応答を受信する問い合わせ手段と、
前記問い合わせ手段が前記第２の通信インタフェースに接続している他装置の各々から受信した応答に基づいて、前記第２の通信インタフェースに接続している他装置のうちで、前記映像伝送用通信インタフェースで当該他装置と異なる装置と接続している他装置を制御対象候補装置として識別する識別手段と、
前記識別手段が識別した前記制御対象候補装置として識別した他装置のいずれかを前記制御対象装置に設定する制御対象装置設定手段とを有し、
前記他装置が備える映像伝送用通信インタフェースは、前記第１の通信規格、または、前記第１の通信規格に変換可能な映像伝送用の通信規格により通信を行う通信インタフェースであることを特徴とする情報処理装置。
【請求項２】
請求項１記載の情報処理装置であって、
前記制御対象装置設定手段は、前記識別手段が前記制御対象候補装置として識別した他装置が一つである場合に、当該他装置を前記制御対象装置に設定することを特徴とする情報処理装置。
【請求項３】
請求項１または２記載の情報処理装置であって、
前記識別手段が前記制御対象候補装置として識別した他装置が複数である場合に、当該前記制御対象候補装置として識別された他装置の一覧を表示すると共に、当該一覧中から一つの他装置の選択をユーザから受け付け、選択を受け付けた他装置を前記制御対象装置に設定することを特徴とする情報処理装置。
【請求項４】
映像伝送用の通信規格である第１の通信規格で通信を行う第１の通信インタフェースと、当該第１の通信規格と異なる通信規格である第２の通信規格で通信を行う１または複数の第２の通信インタフェースとを備え、前記第１の通信インタフェースで転送される映像を表示すると共に、前記第１の通信インタフェースで転送される映像の転送元の他装置を制御対象装置として、前記第２の通信インタフェースを介して、前記制御対象装置の制御を行う情報処理装置であって、
前記第１の通信インタフェースに他装置が接続しているときに、前記第２の通信インタフェースに接続している他装置の各々に、当該第２の通信インタフェースを介して、当該他装置が備える映像伝送用通信インタフェースで接続している装置の識別を問い合わせ、当該他装置から前記第２の通信インタフェースを介して前記問い合わせに対する応答を受信する問い合わせ手段と、
前記問い合わせ手段が前記第２の通信インタフェースに接続している他装置の各々から受信した応答に基づいて、前記第２の通信インタフェースに接続している他装置のうちで、前記映像伝送用通信インタフェースで接続している装置が自情報処理装置である他装置を識別し、前記制御対象装置に設定する制御対象装置設定手段とを有し、
前記他装置が備える映像伝送用通信インタフェースは、前記第１の通信規格、または、前記第１の通信規格に変換可能な映像伝送用の通信規格により通信を行う通信インタフェースであることを特徴とする情報処理装置。
【請求項５】
請求項１、２、３または４記載の情報処理装置であって、
前記第１の通信規格は、HDMI(登録商標）（High-Definition Multimedia Interface）、または、MHL（Mobile High-definition Link）であり、
前記第２の通信規格は、USB（Universal Serial Bus）、IEEE 802.11、Bluetooth(登録商標）のいずれか一つを少なくとも含むことを特徴とする情報処理装置。
【請求項６】
請求項１、２、３、４または５記載の情報処理装置であって、
当該情報処理装置は自動車に搭載される装置であり、
前記他装置はモバイル装置であることを特徴とする情報処理装置。
【請求項７】
映像伝送用の通信規格である第１の通信規格で通信を行う第１の通信インタフェースと、当該第１の通信規格と異なる通信規格である第２の通信規格で通信を行う１または複数の第２の通信インタフェースとを備えたコンピュータによって読み取られ実行されるコンピュータプログラムであって、
当該コンピュータプログラムは、前記コンピュータを、
前記第１の通信インタフェースで転送される映像を表示する映像表示手段と、
前記第１の通信インタフェースで転送される映像の転送元の他装置を制御対象装置として、前記第２の通信インタフェースを介して、前記制御対象装置の制御を行う制御手段と、
前記第１の通信インタフェースに他装置が接続しているときに、前記第２の通信インタフェースに接続している他装置の各々に、当該第２の通信インタフェースを介して、当該他装置が備える映像伝送用通信インタフェースの当該他装置と異なる装置との接続の有無を問い合わせ、当該他装置から前記第２の通信インタフェースを介して前記問い合わせに対する応答を受信する問い合わせ手段と、
前記問い合わせ手段が前記第２の通信インタフェースに接続している他装置の各々から受信した応答に基づいて、前記第２の通信インタフェースに接続している他装置のうちで、前記映像伝送用通信インタフェースで当該他装置と異なる装置と接続している他装置を制御対象候補装置として識別する識別手段と、
前記識別手段が識別した前記制御対象候補装置として識別した他装置のいずれかを前記制御対象装置に設定する制御対象装置設定手段として機能させ、
前記他装置が備える映像伝送用通信インタフェースは、前記第１の通信規格、または、前記第１の通信規格に変換可能な映像伝送用の通信規格により通信を行う通信インタフェースであることを特徴とするコンピュータプログラム。
【請求項８】
映像伝送用の通信規格である第１の通信規格で通信を行う第１の通信インタフェースと、当該第１の通信規格と異なる通信規格である第２の通信規格で通信を行う１または複数の第２の通信インタフェースとを備えたコンピュータによって読み取られ実行されるコンピュータプログラムであって、
当該コンピュータプログラムは、前記コンピュータを、
前記第１の通信インタフェースで転送される映像を表示する映像表示手段と、
前記第１の通信インタフェースで転送される映像の転送元の他装置を制御対象装置として、前記第２の通信インタフェースを介して、前記制御対象装置の制御を行う制御手段と、
前記第１の通信インタフェースに他装置が接続しているときに、前記第２の通信インタフェースに接続している他装置の各々に、当該第２の通信インタフェースを介して、当該他装置が備える映像伝送用通信インタフェースで接続している装置の識別を問い合わせ、当該他装置から前記第２の通信インタフェースを介して前記問い合わせに対する応答を受信する問い合わせ手段と、
前記問い合わせ手段が前記第２の通信インタフェースに接続している他装置の各々から受信した応答に基づいて、前記第２の通信インタフェースに接続している他装置のうちで、前記映像伝送用通信インタフェースで接続している装置が自情報処理装置である他装置を識別し、前記制御対象装置に設定する制御対象装置設定手段として機能させ、
前記他装置が備える映像伝送用通信インタフェースは、前記第１の通信規格、または、前記第１の通信規格に変換可能な映像伝送用の通信規格により通信を行う通信インタフェースであることを特徴とするコンピュータプログラム。
【発明の詳細な説明】
【技術分野】
【０００１】
本発明は、情報処理装置において、接続されたモバイル装置のユーザインタフェースを提供する技術に関するものである。
【背景技術】
【０００２】
情報処理装置において、接続されたモバイル装置のユーザインタフェースを提供する技術としては、情報処理装置において、モバイル装置から転送された映像を情報処理装置の表示装置に表示すると共に、情報処理装置の入力装置で受け付けた操作に応じてモバイル装置の動作を制御する技術が知られている（たとえば、特許文献１）。
【先行技術文献】
【特許文献】
【０００３】
【特許文献１】特開２０１０-１９７１８号公報
【発明の概要】
【発明が解決しようとする課題】
【０００４】
情報処理装置において接続されたモバイル装置のユーザインタフェースを提供する場合に、モバイル装置から情報処理装置への映像の転送に、HDMI(登録商標）（High-Definition Multimedia Interface）やMHL（Mobile High-definition Link）などの高精細度の映像を転送可能な高速映像伝送用通信インタフェースを用いる場合、より高度、多機能な制御を実現するために、モバイル装置と情報処理装置との間の制御情報の転送に、高速映像伝送用通信インタフェースではなく、より汎用な通信インタフェースであるUSBやBluetoothやWi-Fiなどの汎用通信インタフェースを用いる場合がある。
【０００５】
しかし、このようにすると、情報処理装置に汎用通信インタフェースを介して複数のモバイル装置が接続されている場合には、高速映像伝送用通信インタフェースを介して情報処理装置に接続されているモバイル装置が、汎用通信インタフェースに接続されている複数のモバイル装置のうちのいずれのモバイル装置であるかを識別することができなくなり、情報処理装置が表示している映像の転送元のモバイル装置を正しく制御対象とした制御を行えなくなってしまうことがある。
【０００６】
そこで、本発明は、モバイル装置から情報処理装置への当該情報処理装置で表示する映像の転送と、情報処理装置とモバイル装置との間の制御情報の転送とに異なる通信インタフェースを用いる場合に、情報処理装置において、情報処理装置が表示している映像を転送しているモバイル装置を正しく制御対象とした制御を行えるようにすることを課題とする。
【課題を解決するための手段】
【０００７】
前記課題達成のために、本発明は、映像伝送用の通信規格である第１の通信規格で通信を行う第１の通信インタフェースと、当該第１の通信規格と異なる通信規格である第２の通信規格で通信を行う１または複数の第２の通信インタフェースとを備え、前記第１の通信インタフェースで転送される映像を表示すると共に、前記第１の通信インタフェースで転送される映像の転送元の他装置を制御対象装置として、前記第２の通信インタフェースを介して、前記制御対象装置の制御を行う情報処理装置に、前記第１の通信インタフェースに他装置が接続しているときに、前記第２の通信インタフェースに接続している他装置の各々に、当該第２の通信インタフェースを介して、当該他装置が備える映像伝送用通信インタフェースの当該他装置と異なる装置との接続の有無を問い合わせ、当該他装置から前記第２の通信インタフェースを介して前記問い合わせに対する応答を受信する問い合わせ手段と、前記問い合わせ手段が前記第２の通信インタフェースに接続している他装置の各々から受信した応答に基づいて、前記第２の通信インタフェースに接続している他装置のうちで、前記映像伝送用通信インタフェースで当該他装置と異なる装置と接続している他装置を制御対象候補装置として識別する識別手段と、前記識別手段が識別した前記制御対象候補装置として識別した他装置のいずれかを前記制御対象装置に設定する制御対象装置設定手段とを設けたものである。ただし、前記他装置が備える映像伝送用通信インタフェースは、前記第１の通信規格、または、前記第１の通信規格に変換可能な映像伝送用の通信規格により通信を行う通信インタフェースである。
【０００８】
ここで、このような情報処理装置は、前記制御対象装置設定手段において、前記識別手段が前記制御対象候補装置として識別した他装置が一つである場合に、当該他装置を前記制御対象装置に設定するようにしたり、前記制御対象候補装置として識別した他装置が複数である場合に、当該前記制御対象候補装置として識別された他装置の一覧を表示すると共に、当該一覧中から一つの他装置の選択をユーザから受け付け、選択を受け付けた他装置を前記制御対象装置に設定するように構成してもよい。
【０００９】
このような情報処理装置によれば、前記第１の通信インタフェースに他装置が接続しているときに、第２の通信インタフェースに接続している他装置のうちの、第１の通信インタフェースと通信可能な映像伝送用通信インタフェースに何らかの装置が接続している他装置を、制御対象装置に設定することができる。ここで、情報処理装置の第１の通信インタフェースに接続している他装置は、映像伝送用通信インタフェースに何らかの装置が接続している他装置に該当するので、このような情報処理装置によれば、表示している映像を転送している他装置を正しく制御対象装置として制御を行えることが期待できる。
【００１０】
また、前記課題達成のために、本発明は、映像伝送用の通信規格である第１の通信規格で通信を行う第１の通信インタフェースと、当該第１の通信規格と異なる通信規格である第２の通信規格で通信を行う１または複数の第２の通信インタフェースとを備え、前記第１の通信インタフェースで転送される映像を表示すると共に、前記第１の通信インタフェースで転送される映像の転送元の他装置を制御対象装置として、前記第２の通信インタフェースを介して、前記制御対象装置の制御を行う情報処理装置に、前記第１の通信インタフェースに他装置が接続しているときに、前記第２の通信インタフェースに接続している他装置の各々に、当該第２の通信インタフェースを介して、当該他装置が備える映像伝送用通信インタフェースで接続している装置の識別を問い合わせ、当該他装置から前記第２の通信インタフェースを介して前記問い合わせに対する応答を受信する問い合わせ手段と、前記問い合わせ手段が前記第２の通信インタフェースに接続している他装置の各々から受信した応答に基づいて、前記第２の通信インタフェースに接続している他装置のうちで、前記映像伝送用通信インタフェースで接続している装置が自情報処理装置である他装置を識別し、前記制御対象装置に設定する制御対象装置設定手段とを設けたものである。ただし、前記他装置が備える映像伝送用通信インタフェースは、前記第１の通信規格、または、前記第１の通信規格に変換可能な映像伝送用の通信規格により通信を行う通信インタフェースである。
【００１１】
このような情報処理装置によれば、前記第１の通信インタフェースに他装置が接続しているときに、第２の通信インタフェースに接続している他装置のうち、第１の通信インタフェースと通信可能な映像伝送用通信インタフェースに、自情報処理装置が接続している他装置を制御対象装置に設定することができる。よって、表示している映像を転送している他装置を正しく制御対象装置として制御を行うことができるようになる。
【００１２】
なお、以上の情報処理装置において、前記第１の通信規格は、HDMI(登録商標）（High-Definition Multimedia Interface）、または、MHL（Mobile High-definition Link）であってよく、前記第２の通信規格は、USB（Universal Serial Bus）、IEEE 802.11、Bluetooth(登録商標）のいずれか一つを少なくとも含むものであってよい。
【００１３】
また、以上の情報処理装置は自動車に搭載される装置であってよく、前記他装置はモバイル装置であってよい。
【発明の効果】
【００１４】
以上のように、本発明によれば、モバイル装置から情報処理装置への当該情報処理装置で表示する映像の転送と、情報処理装置とモバイル装置との間の制御情報の転送とに異なる通信インタフェースを用いる場合に、情報処理装置において、情報処理装置が表示している映像を転送しているモバイル装置を制御対象とした制御を行うことができる。
【図面の簡単な説明】
【００１５】
【図１】本発明の実施形態に係る車載装置の構成を示すブロック図である。
【図２】本発明の実施形態に係るモバイル装置の構成を示すブロック図である。
【図３】本発明の実施形態に係るHDMI接続機器検出処理を表すフローチャートである。
【図４】本発明の実施形態に係るHDMI接続機器検出処理の出力画面を示す図である。
【図５】本発明の実施形態に係るHDMI接続機器検出処理の処理例を示す図である。
【発明を実施するための形態】
【００１６】
以下、本発明の実施形態について説明する。
図１に、本第１実施形態に係る車載装置の構成を示す。
車載装置１は、自動車に搭載される装置であり、図示するように入力装置１０１、表示装置１０２、マイクやスピーカなどを備えた音声入出力装置１０３、CDやDVDなどの記録ディスクの再生を行うディスクドライブ１０４、記憶装置１０５、その他の周辺装置１０６、車載装置１のＯＳであるところのＨ-オペレーティングシステム１０７、Ｈ-オペレーティングシステム１０７によって管理されＨ-オペレーティングシステム１０７上で稼働するアプリケーションであるＨ-ＡＰ、USB（Universal Serial Bus）規格に従った有線通信インタフェースであるUSBインタフェース１０８、IEEE 802.11規格に従った無線通信インタフェースであるWi-Fiインタフェース１０９、Bluetooth(登録商標）規格に従った無線通信インタフェースであるBTインタフェース１１０、HDMI(登録商標）（High-Definition Multimedia Interface）規格に従った有線通信インタフェースであるHDMIインタフェース１１１とを備えている。
【００１７】
ここで、このような車載装置１の周辺装置１０６は、ラジオ放送やテレビジョン放送の放送受信機などである。
また、車載装置１は、上述したＨ-ＡＰとして、メディアプレイヤアプリケーション１２１と、ＨＦＴコントロールアプリケーション１２２と、リモートコントロールアプリケーション１２３と、その他のＨ-ＡＰ１２４を備えている。
ここで、メディアプレイヤアプリケーション１２１は、放送受信機が受信した放送の音声入出力装置１０３と表示装置１０２への出力や、ディスクドライブ１０４に装着された記録ディスクに記録されているオーディオコンテンツやビデオコンテンツの音声入出力装置１０３と表示装置１０２への再生出力などを行うアプリケーションである。また、ＨＦＴコントロールアプリケーション１２２は、車載装置１の入力装置１０１や表示装置１０２や音声入出力装置１０３を用いた、モバイル装置の後述する移動電話アプリケーションのユーザインタフェースを提供するアプリケーションであり、車載装置１の音声入出力装置１０３を通話音声の入出力に用いた移動電話機能であるハンズフリー通話機能をユーザに提供する。
【００１８】
ただし、車載装置１は、ハードウエア的には、ＣＰＵやメモリなどを備えたコンピュータを用いて構成されるものであり、Ｈ-オペレーティングシステム１０７や、Ｈ-ＡＰなどは、当該コンピュータが、所定のコンピュータプログラムを実行することにより実現されるものである。
【００１９】
さて、このような車載装置１の構成において、車載装置１のUSBインタフェース１０８、Wi-Fiインタフェース１０９、BTインタフェース１１０には、それぞれ一つまたは複数のモバイル装置２を接続することができる。また、HDMIインタフェース１１１には、一つのモバイル装置２を接続することができると共に、HDMIインタフェース１１１を介してモバイル装置２から転送された映像を表示装置１０２に表示することができる。
【００２０】
ここで、モバイル装置２は、スマートフォンやタブレット装置などの、ユーザによって携帯される装置である。
次に、図２に、モバイル装置２の構成を示す。
図示するように、モバイル装置２は、操作部２０１、ディスプレイ２０２、マイクやスピーカなどを備えた音声入出力部２０３、記憶部２０４、移動電話網にアクセスするための移動通信装置２０５、その他の周辺デバイス２０６、モバイル装置２のＯＳであるところのＳＰ-オペレーティングシステム２０７、ＳＰ-オペレーティングシステム２０７によって管理されＳＰ-オペレーティングシステム２０７上で稼働するアプリケーションであるＳＰ-ＡＰ、USB規格に従った有線通信インタフェースであるUSBインタフェース２０８、IEEE 802.11規格に従った無線通信インタフェースであるWi-Fiインタフェース２０９、Bluetooth(登録商標）規格に従った無線通信インタフェースであるBTインタフェース２１０、HDMI(登録商標）規格に従った有線通信インタフェースであるHDMIインタフェース２１１とを備えている。
【００２１】
ここで、このような車載装置１の周辺デバイス２０６は、ＧＰＳ受信機や、ジャイロセンサなどである。
また、モバイル装置２は、ＳＰ-ＡＰとして、移動通信装置２０５や音声入出力部２０３や操作部２０１を用いた移動電話機能を提供する移動電話アプリケーション２２１と、ＧＰＳ受信機やジャイロセンサや記憶部２０４に記憶された地図データを用いてナビゲーション機能を提供するナビゲーションアプリケーション２２２と、ローカルコントロールアプリケーション２２３と、その他のＳＰ-ＡＰ２２４を備えている。
【００２２】
そして、モバイル装置２は、USBインタフェース２０８、Wi-Fiインタフェース２０９、BTインタフェース２１０を用いて、車載装置１の、USBインタフェース１０８、Wi-Fiインタフェース１０９、BTインタフェース１１０と接続することができる。また、モバイル装置２は、HDMIインタフェース２１１を用いて、車載装置１のHDMIインタフェース１１１に接続し、HDMIインタフェース２１１を介して映像を車載装置１に転送することができる。
【００２３】
ただし、モバイル装置２は、必ずしも、USBインタフェース２０８、Wi-Fiインタフェース２０９、BTインタフェース２１０、HDMIインタフェース２１１の全てを備えている必要なない。また、ローカルコントロールアプリケーション２２３を備えていないモバイル装置２であっても、USBインタフェース２０８、Wi-Fiインタフェース２０９、BTインタフェース２１０、HDMIインタフェース２１１のいずれかを用いて車載装置１に接続することができる。
【００２４】
なお、モバイル装置２は、ハードウエア的には、ＣＰＵやメモリなどを備えたコンピュータを用いて構成されるものあり、ＳＰ-オペレーティングシステム２０７や、ＳＰ-ＡＰなどは、当該コンピュータが、所定のコンピュータプログラムを実行することにより実現されるものである。
【００２５】
さて、このような構成において、車載装置１のリモートコントロールアプリケーション１２３が行う処理について説明する。
車載装置１のリモートコントロールアプリケーション１２３は、HDMIインタフェース１１１に他の装置が接続されているときには、HDMI接続モバイル装置のリモートコントロール開始の指示をユーザから受け付け、HDMIインタフェース１１１に他の装置が接続されていない場合には、リモートコントロール開始の指示をユーザから受け付けない。
【００２６】
そして、HDMIインタフェース１１１に他の装置が接続されているときに、HDMI接続モバイル装置のリモートコントロール開始をユーザから指示されると、後述するHDMI接続機器検出処理を行って、USBインタフェース１０８、Wi-Fiインタフェース１０９、BTインタフェース１１０のいずれかの通信インタフェースで接続されているモバイル装置２のうちから、車載装置１にHDMIインタフェース１１１を介して接続されているモバイル装置２を識別し、識別したモバイル装置２をリモートコントロール対象モバイル装置に設定する。
【００２７】
そして、リモートコントロール対象モバイル装置を設定したならば、車載装置１は、HDMIインタフェース１１１を介して車載装置１に転送される映像を表示装置１０２に表示すると共に、入力装置１０１で受け付けた操作等応じた制御情報を、USBインタフェース１０８、Wi-Fiインタフェース１０９、BTインタフェース１１０の通信インタフェースうちのリモートコントロール対象モバイル装置と接続している通信インタフェースを介してリモートコントロール対象モバイル装置に送信して、リモートコントロール対象モバイル装置の動作を制御する。なお、このようなHDMIインタフェース１１１を介して車載装置１に転送される映像の表示や、リモートコントロール対象モバイル装置への制御情報の送信は、Ｈ-オペレーティングシステム１０７において行うようにすることもできるし、リモートコントロールアプリケーション１２３がＨ-オペレーティングシステム１０７の機能を利用しつつ行うようにすることもできる。
【００２８】
一方、HDMIインタフェース２１１を介して車載装置１と接続したモバイル装置２は、モバイル装置２の表示出力映像（通常、ディスプレイ２０２に表示する映像）をHDMIインタフェース２１１を介して車載装置１にも転送する。また、USBインタフェース１０８、Wi-Fiインタフェース１０９またはBTインタフェース１１０を介して車載装置１から受け取った制御情報に従ってモバイル装置２のＳＰ-オペレーティングシステム２０７や個々のＳＰ-ＡＰの動作を制御する。なお、このようなモバイル装置２のHDMIインタフェース２１１を介した映像の転送や、車載装置１から受け取った制御情報に従ったモバイル装置２のＳＰ-オペレーティングシステム２０７や個々のＳＰ-ＡＰの動作の制御は、ＳＰ-オペレーティングシステム２０７において行うようにすることもできるし、ローカルコントロールアプリケーション２２３が行うようにすることもできるし、ナビゲーションアプリケーション２２２などの個々のＳＰ-ＡＰが行うようにすることもできる。
【００２９】
以下、上述のように車載装置１のリモートコントロールアプリケーション１２３が、HDMIインタフェース１１１に他の装置が接続されているときにHDMI接続モバイル装置のリモートコントロール開始をユーザから指示された場合に、リモートコントロール対象モバイル装置を設定するために行うHDMI接続機器検出処理について説明する。
【００３０】
図３に、このHDMI接続機器検出処理の手順を示す。
図示するように、この処理では、HDMIインタフェース１１１以外の通信インタフェース、すなわち、USBインタフェース１０８、Wi-Fiインタフェース１０９、BTインタフェース１１０のいずれかの通信インタフェースで接続している各モバイル装置２について（ステップ３０２、３１０、３１２）、USBインタフェース１０８、Wi-Fiインタフェース１０９、BTインタフェース１１０のうちの当該モバイル装置２と接続している通信インタフェースを当該モバイル装置２の接続通信インタフェースとして以下の処理を行う。
【００３１】
すなわち、モバイル装置２にHDMI接続状態問い合わせを当該モバイル装置２の接続通信インタフェースを介して発行し（ステップ３０４）、HDMI接続状態問い合わせに対する応答の発生（ステップ３０６）と、HDMI接続状態問い合わせに対する無応答の発生（ステップ３０８）を監視する。
【００３２】
ここで、ステップ３０８の無応答の発生の検出は、ステップ３０４でHDMI接続状態問い合わせを発行してから、所定時間内に応答が発生しなかった場合に無応答の発生を検出することにより行う。
ここで、ローカルコントロールアプリケーション２２３を備えているモバイル装置２は、車載装置１からHDMI接続状態問い合わせを受信すると、ローカルコントロールアプリケーション２２３が、HDMIインタフェース２１１に他の装置が接続されているかどうかを調べ、接続されている場合には、接続済を車載装置１に応答し、HDMIインタフェース２１１に他の装置が接続されていない場合には未接続を車載装置１に応答する。一方、ローカルコントロールアプリケーション２２３を備えていないモバイル装置２は、車載装置１からHDMI接続状態問い合わせを受信しても、これに応答することはなく、したがって、ステップ３０８で無応答の発生が検出されることとなる。
【００３３】
そして、USBインタフェース１０８、Wi-Fiインタフェース１０９、BTインタフェース１１０のいずれかの通信インタフェースで接続している全てのモバイル装置２について、HDMI接続状態問い合わせの発行と（ステップ３０４）、応答（ステップ３０６）または無応答（ステップ３０８）の発生を検出したならば、HDMI接続済のモバイル装置２が０であったか（ステップ３１４）、１であったか（ステップ３１６）を判定する。ここで、HDMI接続済のモバイル装置２とは、ステップ３０６で接続済の応答を受信できたモバイル装置２である。
【００３４】
そして、HDMI接続済のモバイル装置２が１である場合には、その唯一のHDMI接続済のモバイル装置２をリモートコントロール対象モバイル装置に設定し（ステップ３１８）、HDMI接続機器検出処理を終了する。
一方、HDMI接続済のモバイル装置２が０である場合には（ステップ３１４）、HDMI(登録商標）以外の通信インタフェース、すなわち、USBインタフェース１０８、Wi-Fiインタフェース１０９、BTインタフェース１１０のいずれかの通信インタフェースで接続しているモバイル装置２の一覧を表示した図４に示すような一覧画面を表示し（ステップ３２０）、ステップ３２４に進む。
【００３５】
そして、HDMI接続済のモバイル装置２が０（ステップ３１４）でも１（ステップ３１６）でもない場合、すなわち、HDMI接続済のモバイル装置２が複数である場合には、HDMI接続済のモバイル装置２の一覧を表示した図４に示すような一覧画面を表示し（ステップ３２２）、ステップ３２４に進む。
【００３６】
そして、以上のようにしてステップ３２０またはステップ３２２からステップ３２４に進んだならば、図４に示すように一覧画面に設けたキャンセルボタン４０１の操作によるキャンセル操作の発生か（ステップ３２４）、一覧画面に設けた選択ボタン４０２の操作による一覧中のいずれかのモバイル装置２の選択操作の発生を監視し（ステップ３２６）、キャンセル操作が発生したならば、HDMI接続機器検出処理を終了する。なお、一覧画面には、ユーザがHDMIインタフェース１１１に接続したモバイル装置２が一覧中に含まれていない場合には、キャンセル操作を行って、HDMIインタフェース１１１に接続したモバイル装置２をUSBインタフェース１０８、Wi-Fiインタフェース１０９、BTインタフェース１１０のいずれかに接続するよう勧告するメッセージ４０３の表示を含めるようにする。
【００３７】
一方、一覧中のいずれかのモバイル装置２の選択操作が発生した場合には（ステップ３２６）、選択操作されたモバイル装置２をリモートコントロール対象モバイル装置に設定し（ステップ３２８）、HDMI接続機器検出処理を終了する。
以上、車載装置１のリモートコントロールアプリケーション１２３が行うHDMI接続機器検出処理について説明した。
ここで、図５に、以上のHDMI接続機器検出処理の処理例を示す。
いま、モバイル装置Ａと車載装置１はUSBで接続しており、モバイル装置Ｂと車載装置１はWi-Fiで接続しており、モバイル装置Ｃと車載装置１はBluetooth(登録商標）とHDMI(登録商標）との双方で接続しているものとする。
また、モバイル装置Ａとモバイル装置Ｃはローカルコントロールアプリケーション２２３を備えているが、モバイル装置Ｂはローカルコントロールアプリケーション２２３を備えていないものとする。
この場合、車載装置１は、まず、モバイル装置ＡにHDMI接続状態問い合わせをUSBインタフェース１０８を介して送信し（５０１）、モバイル装置Ａは他の装置とHDMI(登録商標）で接続していないので未接続を車載装置１に応答する（５０２）。
次に、車載装置１は、モバイル装置ＢにHDMI接続状態問い合わせをWi-Fiインタフェース１０９を介して送信する（５０３）。一方、モバイル装置Ｂはローカルコントロールアプリケーション２２３を備えていないので、このHDMI接続状態問い合わせに応答することはなく、車載装置１において、モバイル装置Ｂの無応答が検出される（５０４）。
【００３８】
そして、次に、車載装置１は、モバイル装置ＣにHDMI接続状態問い合わせをBTインタフェース１１０を介して送信し（５０５）、モバイル装置Ｃは車載装置１とHDMI(登録商標）で接続しているので接続済を車載装置１に応答する（５０６）。
結果、車載装置１にHDMI(登録商標）以外の通信インタフェース、すなわち、USBインタフェース１０８、Wi-Fiインタフェース１０９、BTインタフェース１１０のいずれかの通信インタフェースで接続しているモバイル装置２のうちの接続済を応答したモバイル装置２であるHDMI接続済モバイル装置は、モバイル装置Ｃの一つのみであるので、車載装置１は、モバイル装置Ｃをリモートコントロール対象モバイル装置に設定する（５０７）。
【００３９】
そして、これ以降は、車載装置１は、リモートコントロール対象モバイル装置に設定したモバイル装置ＣからHDMIインタフェース１１１を介して転送された映像５０８を表示装置１０２に表示すると共に、入力装置１０１のユーザ操作などに応じた制御情報をBTインタフェース１１０を介してモバイル装置Ｃに送信し５０９、モバイル装置Ｃの動作を制御する。
【００４０】
以上、本発明の実施形態について説明した。
ところで、以上の実施形態は、モバイル装置２のローカルコントロールアプリケーション２２３において、車載装置１からHDMI接続状態問い合わせを受信したときに、HDMIインタフェース２１１に他の装置が接続されている場合には、接続済と共にHDMIインタフェース２１１に接続されている他の装置の識別子を車載装置１に応答するように構成すると共に、車載装置１のリモートコントロールアプリケーション１２３において、HDMI接続状態問い合わせの応答として自車載装置１の識別子を含む接続済の応答を受信した場合には、無条件に当該応答を送信したモバイル装置２を、リモートコントロール対象モバイル装置に設定するようにしてもよい。なお、モバイル装置２がHDMI(登録商標）で接続している他装置の識別子としては、HDMI(登録商標）規格に従って車載装置１から受信するEDIDのModel nameなどを用いることができる。
【００４１】
また、以上の実施形態では、モバイル装置２と車載装置１の映像の転送にHDMI(登録商標）を用いる場合について説明したが、当該映像の転送にはMHL（Mobile High-definition Link）を用いるようにしてもよい。または、映像の転送にモバイル装置２はMHLを用い、車載装置１はHDMI(登録商標）を用い、モバイル装置２と車載装置１との間に配置したインタフェース変換装置でMHLとHDMI(登録商標）とのインタフェース変換を行うことにより、モバイル装置２はMHLを車載装置１はHDMI(登録商標）を用いて映像の転送を行うようにしてもよい。または、逆に、映像の転送にモバイル装置２はHDMI(登録商標）を用い、車載装置１はMHLを用い、モバイル装置２と車載装置１との間に配置したインタフェース変換装置でMHLとHDMI(登録商標）とのインタフェース変換を行うことにより、モバイル装置２はHDMI(登録商標）を車載装置１はMHLを用いて映像の転送を行うようにしてもよい。また、モバイル装置２と車載装置１の映像の転送に、HDMI(登録商標）やMHL以外の他の映像伝送用インタフェースを用いるようにすることもできる。
【符号の説明】
【００４２】
１…車載装置、２…モバイル装置、１０１…入力装置、１０２…表示装置、１０３…音声入出力装置、１０４…ディスクドライブ、１０５…記憶装置、１０６…周辺装置、１０７…Ｈ-オペレーティングシステム、１０８…USBインタフェース、１０９…Wi-Fiインタフェース、１１０…BTインタフェース、１２１…メディアプレイヤアプリケーション、１２２…ＨＦＴコントロールアプリケーション、１２３…リモートコントロールアプリケーション、２０１…操作部、２０２…ディスプレイ、２０３…音声入出力部、２０４…記憶部、２０５…移動通信装置、２０６…周辺デバイス、２０７…ＳＰ-オペレーティングシステム、２０８…USBインタフェース、２０９…Wi-Fiインタフェース、２１０…BTインタフェース、２１１…移動電話アプリケーション、２２１…移動電話アプリケーション、２２２…ナビゲーションアプリケーション、２２３…ローカルコントロールアプリケーション。
【図１】
2014233019.tif 000003
【図２】
2014233019.tif 000004
【図３】
2014233019.tif 000005
【図４】
2014233019.tif 000006
【図５】
2014233019.tif 000007